(57)【要約】【課題】素材を天然ひょうたんとしつつも、需要者にひょうたんであるとは認識されない態様、ひょうたんのくびれが現れないような形で天然ひょうたんを利用して成形した成形品を提供する。【解決手段】天然ひょうたん１は、略中央にくびれ部１ｃを有しており、くびれ部１ｃが完全に現れないような形で天然ひょうたん１を切断して利用する。切断面Ａで切断することにより、上半分又は下半分の球体を成形でき、くびれ部１ｃ自体を切断することで球体に開口した首部を持つ形状を呈する。また、切断面Ｂで切断することにより、切断面下部は半球体を成形する。また、切断面Ｃ，Ｄで切断することにより、切断面Ｃの左側又は右側は半球体を成形し、切断面Ｄの右側は半球体を成形する。球体の成形品の活用方法としては花器やバルーン、半球体の成形品の活用方法としては食器や皿等の食器がある。【選択図】図１
2020182607.tif 000002
【特許請求の範囲】
【請求項１】
略中央にくびれ部を有する天然ひょうたんの胴体を切断して、中空の球体又は半球体を成形したことを特徴とする天然ひょうたんを利用した成形品。
【請求項２】
前記くびれ部に対して略平行に胴体を切断することで中空の球体又は半球体を成形したこと、または、前記くびれ部に対して略垂直に胴体を切断することで中空の半球体を成形したことを特徴とする請求項１記載の成形品。
【請求項３】
略中央にくびれ部を有する天然ひょうたんの前記くびれ部を略平行に切断して成形された中空の球体と、
前記球体の切断部に固定され、前記球体から下方に伸びる吊り部と、
前記吊り部に固定され、前記球体の下方に位置する台座と、
を有することを特徴とする天然ひょうたんを利用した成形品。
【発明の詳細な説明】
【技術分野】
【０００１】
本発明は、天然ひょうたんを任意に切断して得られる球体又は半球体を利用する成形品に関する。
【背景技術】
【０００２】
天然ひょうたんは、うり科の１年生つる科の植物であり、夏に花が咲いて中央部がくびれた果実を結ぶ。古来より果実をくり抜いて乾燥させ、酒や水の容器として利用したり、福を招く縁起物のお土産品として利用したりされている。
【０００３】
我が国で生産されるひょうたんは、自然が醸し出す生育環境から胴のくびれが大変美しいとされており、くびれを残してひょうたん自体の形を損なわないままで、容器やお土産品などとして利用されている例は多々存在する。
【０００４】
例えば、特許文献１に記載のものは、中空乾燥ひょうたんの一部を開口してひょうたん花器又は茶器をなしている（図７参照）。この花器又は茶器もまた、くびれを残してひょうたん自体の形を損なわないように一部を切断して開口したものである。
【先行技術文献】
【特許文献】
【０００５】
【特許文献１】特開昭５９−１４２２００号公報
【発明の概要】
【発明が解決しようとする課題】
【０００６】
このように、従来はくびれを残したものが一般的であり、その素材がひょうたんであるとの認識を超えないところに需要者の興味関心を惹きつけていたところである。特に天然ひょうたんの形は千差万別で極めて個性的であるから、ひょうたん自体の形を損なわないようにしてひょうたんの傾きや需要者による鑑賞角度を変えることで、周囲からの眺めを楽しむ鑑賞美を発揮している。
【０００７】
一方、本願発明者は、素材がひょうたんであるとは認識されないような成形をしたところにひょうたんの新たな利用価値を見出して、本願発明を創作するに至った。
【０００８】
本発明は、前記課題に鑑みてなされたものであり、素材を天然ひょうたんとしつつも、需要者にひょうたんであるとは認識されない態様、換言すれば、ひょうたんのくびれが現れないような形で天然ひょうたんを利用して成形した成形品を提供する。
【課題を解決するための手段】
【０００９】
上記目的を達成するため、本発明は、以下のものを提供する。
【００１０】
本発明の第１の成形品は、略中央にくびれ部を有する天然ひょうたんの胴体を切断して、中空の球体又は半球体を成形したことを特徴とするものであり、さらに、くびれ部に対して略平行に胴体を切断することで中空の球体又は半球体を成形したこと、または、くびれ部に対して略垂直に胴体を切断することで中空の半球体を成形したことを特徴とする。また、第２の成形品は、略中央にくびれ部を有する天然ひょうたんのくびれ部を略平行に切断して成形された中空の球体と、球体の切断部に固定され、球体から下方に伸びる吊り部と、吊り部に固定され、球体の下方に位置する台座と、を有することを特徴とする。
【００１１】
本発明によれば、第１乃至第３の成形品は、略中央にくびれ部を有する天然ひょうたんの胴体を切断して球体又は半球体を成形していることから、ひょうたんの形の特徴であるくびれ部が現れない成形であり、素材がひょうたんであるとは認識されない成形品を提供でき、ひょうたんの新たな利用価値を創出することができる。
【００１２】
球体の成形品の活用方法としては花器やバルーン、半球体の成形品の活用方法としては食器や皿等の食器の例を後述する。
【発明の効果】
【００１３】
本発明によれば、素材を天然ひょうたんとしつつもその特徴を喪失させ、天然ひょうたんの新たな利用価値を創出するという効果を有する。
【図面の簡単な説明】
【００１４】
【図１】天然ひょうたんの切断態様を示す図。
【図２】天然ひょうたんを利用したひょうたんバルーンの外観図。
【図３】台座の態様を示す図。
【図４】天然ひょうたんを利用した花器の外観図。
【図５】天然ひょうたんを利用した食器の外観図。
【図６】天然ひょうたんを利用した食器の外観図。
【図７】従来の例を示す図。
【発明を実施するための最良の形態】
【００１５】
図１は、本発明の実施の形態に係る天然ひょうたんを利用した成形品を成形するにあたり、天然ひょうたんを切断する切断面Ａ，Ｂ，Ｃ，Ｄ，Ｅを一点鎖線で表示した切断態様を示す図である。なお、切断態様はこれらＡ〜Ｅに限られない。
【００１６】
天然ひょうたん１は、略中央に左右一対となるくびれ部１ｃを有しており、切断前又は切断後において果肉部１ａ等の内部組織を除去する前処理を施した後、果皮部１ｂで形作られた中空形状を呈する。この前処理は、一般的には切断前に行い、柄を切り落とした天然ひょうたん１の最下部に果肉部１ａに達する穴１ｄを開けて水に浸けて放置しておくことで、柔繊維組織である果肉部１ａが腐敗作用を受けて徐々に溶解していき、内部が空洞になっていく。放置する期間は、夏場では約１ヶ月、晩秋では約３ヶ月である。
【００１７】
天然ひょうたん１を利用して成形品を成形するには、左右一対となるくびれ部１ｃが完全に現れないような形で天然ひょうたん１の胴体を切断して利用することとし、例えば、切断面Ａ乃至Ｅで切断して、球体又は半球体の部分を取り出して利用する。
【００１８】
くびれ部１ｃを略平行に切断する切断面Ａで切断することにより、上半分又は下半分の球体を成形することができる。すなわち、くびれ部１ｃ自体を切断することで球体に開口した首部を持つ形状を呈する。この態様では図２や図４に示す成形品として利用することができる。
【００１９】
くびれ部１ｃに対して略平行に胴体を切断する切断面Ｂで切断することにより、切断面下部は半球体を成形する。この態様では図５に示す深みが深い成形品として利用することができる。
【００２０】
左右一対のくびれ部１ｃに対して略垂直に胴体を切断する切断面Ｃ，Ｄで切断することにより、切断面Ｃの左側又は右側は半球体を成形して、この態様では図６に示す成形品として利用することができ、また、切断面Ｄの右側は半球体を成形して、この態様では図５に示す深みが浅い成形品として利用することができる。なお、切断面Ｃで切断することにより成形させる半球体は、２つの半球体が一連として成形された形状を呈しており、くびれ部１ｃをくびれ方向とは垂直に切断することで、くびれ部１ｃが完全に現れないような形で天然ひょうたん１を切断している。
【００２１】
図２は、本発明に係る成形品の一例を示す図であり、天然ひょうたん１を利用したバルーン１０の外観図である。
【００２２】
バルーン１０は、中空の球体１１と、吊り部１２と、台座１３とから構成された玩具・展示具・置物等の成形品であり、中空の球体１１として切断面Ａで切断した天然ひょうたん１を利用している。
【００２３】
中空の球体１１は、最上部に貫通孔１１ａを有している場合があり、この貫通孔１１ａは前処理工程で形成した穴１ｄでもある。貫通孔１１ａを利用して、バルーン１０を空中展示具として活用する場合の吊り具を取り付けることができる。また、中空の球体１１の下部である切断部１１ｂはくびれ部１ｃが位置していた箇所であるが、くびれ部１ｃを切断することによりひょうたん自体の形が損なわれている。
【００２４】
球体１１の表面は、天然ひょうたんの果皮部１ｂの外壁そのものでもよいが、ニスや樹脂等で上塗りしてコーティングすることにより色褪せを防ぎ、長持ちさせることができる。また、表面を滑らかにすることで、例えば表面に絵付け、文字・言葉等を描く際に描きやすくすることができる。
【００２５】
吊り部１２は、球体１１の切断部１１ｂと台座１３とに懸架されて固定されており、素材は繊維紐や針金など任意のものでよい。台座１３は、吊り部１２に固定されて球体１１の下方に位置している。台座１３の形態としては、図３に示すように、平板状の台座１３ａ、バスケット上の台座１３ｂ、略台形状の厚みのある台座１３ｃなど任意であり、台座１３にＬＥＤライト１４を搭載することで、ＬＥＤライトを点灯又は点滅させてバルーンと同じような効果を演出する楽しみを持たせてもよい。
【００２６】
図４は、本発明に係る成形品の一例を示す図であり、天然ひょうたん１を利用した花器２１の外観図である。花器２１は、中空の球体として切断面Ａで切断した天然ひょうたん１を利用している。
【００２７】
花器２１には、ドライフラワー２２を入れて飾ることができ室内装飾品としても機能する。天然ひょうたん１の果皮部１ｂは、繊維質で微細な無数の孔があるため、内部の湿度を適度に保つ特性を有する。ドライフラワーは湿気に弱く、湿度が高い場所で管理しているとカビの原因になることから、天然ひょうたんを利用した花器２１は、ドライフラワーの飾り具として適している。また、天然ひょうたん１の内壁はガサガサしていることから、ドライフラワーを立たせて固定するのに資している。一方、天然ひょうたん１の外壁は硬いことから頑丈で耐久性があり、入れ物として適している。このように、天然ひょうたんの果皮部の内壁及び外壁の特性の違いを利用して、花器としての利用を効果的に高めることができる。
【００２８】
図５及び図６は、本発明に係る成形品の一例を示す図であり、天然ひょうたん１を利用した食器３１，４１の外観図であり、切断面Ｃ，Ｄで切断した天然ひょうたん１を利用している。なお、食器として以外にも、置き皿、収容器などの用途にも利用できる。
【００２９】
食器３１，４１には、食材等を盛り付けることができる。天然ひょうたん１の果皮部１ｂは水分を通すことから、果皮部１ｂの表面まできた水が蒸発して気化熱で水温を下げる防水透湿効果を発揮することができ、食材等の温度を適切に保つことができる。なお、自然に水漏れが生じる場合は、柿渋やウレタン系塗料を内壁や外壁に塗布して防水処理を施すこともできる。また、熱可塑性樹脂材料を用いた樹脂被膜又はガラス材料を用いたガラス被膜をすることで、柿渋独特の臭いや塗料の希釈に使用した溶液などの塗料臭を回避することができる。
【符号の説明】
【００３０】
１…天然ひょうたん（１ａ：果肉部、１ｂ：果皮部、１ｃ：くびれ部、１ｄ：孔）
１１…球体（１１ａ：孔、１１ｂ：切断部）
１２…吊り部
１３…台座
１４…ＬＥＤライト
２１…花器
３１，４１…食器
Ａ，Ｂ，Ｃ，Ｄ，Ｅ…切断面
【図１】
2020182607.tif 000003
【図２】
2020182607.tif 000004
【図３】
2020182607.tif 000005
【図４】
2020182607.tif 000006
【図５】
2020182607.tif 000007
【図６】
2020182607.tif 000008
【図７】
2020182607.tif 000009
【手続補正書】
【提出日】令和2年1月16日(2020.1.16)
【手続補正１】
【補正対象書類名】特許請求の範囲
【補正対象項目名】全文
【補正方法】変更
【補正の内容】
【特許請求の範囲】
【請求項１】
略中央にくびれ部を有する天然ひょうたんの前記くびれ部をくびれ方向に対して略平行に切断して成形された中空の球体と、
前記球体の切断部に固定され、前記球体から下方に伸びる吊り部と、
前記吊り部に固定され、前記球体の下方に位置する台座と、
を有し、
前記吊り部は、前記球体と前記台座とに懸架されて固定されていることを特徴とする天然ひょうたんを利用した成形品。
【手続補正書】
【提出日】令和2年6月18日(2020.6.18)
【手続補正１】
【補正対象書類名】特許請求の範囲
【補正対象項目名】全文
【補正方法】変更
【補正の内容】
【特許請求の範囲】
【請求項１】
略中央にくびれ部を有する天然ひょうたんの前記くびれ部をくびれ方向に対して略平行に切断して成形された中空の球体と、
前記球体の切断部に固定され、前記球体から下方に伸びる吊り部と、
前記吊り部に固定され、前記球体の下方に位置する台座と、
を有し、
前記吊り部は、前記球体と前記台座とに懸架されて固定されており、
前記吊り部及び前記台座は、前記球体よりも幅小であることを特徴とする天然ひょうたんを利用した成形品。